(57)【要約】      （修正有）【課題】扇状に展開可能な入れ子式計量カップセットを提供する。【解決手段】第１の計量カップは第１の容量を計量する第１の計量部と第１のハンドルとを含み、第１の注ぎ口は注ぎ口を定める離間した２つの端壁を有する。第２の計量カップ８０は第２の容量を計量する第２の計量部８４と第２のハンドル８２とを含む。第２の計量カップの第２の容量は第１の容量よりも小さく、第２の計量カップは第１の計量部の内部に入れ子式に収容される。第２の注ぎ口９４は第２の計量部にあり、柱部が第２の計量部の下面に隣接して設けられている。柱部は第１の計量部の上面の止め部に係合可能であり、第１の計量カップ及び前記第２の計量カップを相対的に回転すると、柱部が止め部に係合して扇状に展開した位置で回転が止まり、展開した位置でユーザは各計量カップのハンドル上の計量値表示を一覧することができる。【選択図】図１
2016218057.tif 000002
【特許請求の範囲】
【請求項１】
入れ子式計量カップセットであって、
第１の容量を収容して計量する第１の計量部と、前記第１の計量部に設けられた第１のハンドルとを含み、さらに上面及び下面を有する第１の計量カップと、
前記第１の計量部の上面に隣接して設けられた第１の注ぎ口であって、該第１の注ぎ口を定める離間した２つの端壁を有する第１の注ぎ口と、
第２の容量を収容して計量する第２の計量部と、前記第２の計量部に設けられた第２のハンドルとを含み、前記第２の容量は前記第１の容量よりも小さく、前記第２の計量部は第１の計量部の内部に入れ子式に収容される、第２の計量カップと、
前記第２の計量部の上面に隣接して設けられた第２の注ぎ口であって、該第２の注ぎ口を定める離間した２つの端壁を有する第２の注ぎ口と、
前記第２の計量部の下面に隣接して設けられた止め部と、
を備え、
前記止め部は、前記第１の計量部の上面に隣接する当接部に係合可能であり、ユーザは、前記止め部が前記当接部に係合して前記第１の計量カップに対する前記第２の計量カップの回転が止まるまで、前記第１の計量カップに対して前記第２の計量カップを回転させることができ、扇状に展開した位置では前記第１のハンドルと前記第２のハンドルとは互いにオフセットしている、入れ子式計量カップセット。
【請求項２】
前記当接部は、前記第１の注ぎ口の前記離間した端壁のうちの少なくとも１つを含み、ユーザは、前記止め部が前記第１の注ぎ口の前記少なくとも１つの端壁に係合して前記第１の計量カップに対する前記第２の計量カップの回転が止まるまで、前記第１の計量カップに対して前記第２の計量カップを回転させることができ、扇状に展開した位置では前記第１のハンドルと前記第２のハンドルとは互いにオフセットしている、請求項１に記載の計量カップセット。
【請求項３】
前記止め部は、前記第１の計量部の前記第１の注ぎ口と係合可能であり、前記当接部は、前記第１の注ぎ口の前記離間した端壁の第１の端壁及び第２の端壁を含み、ユーザは、前記止め部が前記第１の注ぎ口の前記第１の端壁に係合して、第１の扇状に展開した位置で前記第１の計量カップに対する前記第２の計量カップの回転が止まるまで、前記第１の計量カップに対して前記第２の計量カップを時計回りの方向に回転させることができ、さらに、ユーザは、前記止め部が前記第１の注ぎ口の前記第２の端壁に係合して、第２の扇状に展開した位置で前記第１の計量カップに対する前記第２の計量カップの回転が止まるまで、前記第１の計量カップに対して前記第２の計量カップを反時計回りの方向に回転させることができる、請求項１に記載の計量カップセット。
【請求項４】
第１の容量表示が前記第１のハンドルに設けられ、
第２の容量表示が前記第２のハンドルに設けられ、
前記第１の容量表示及び前記第２の容量表示は、英系計量値及びメートル法計量値を含む、請求項３に記載の計量カップセット。
【請求項５】
第１の容量表示が前記第１のハンドルに設けられ、
第２の容量表示が前記第２のハンドルに設けられ、
前記第１の容量表示及び前記第２の容量表示は、英系計量値及びメートル法計量値を含む、請求項１に記載の計量カップセット。
【請求項６】
前記第１のハンドル及び第２のハンドルは整列することができ、前記第１のハンドル及び前記第２のハンドルが整列した場合に、前記柱部は、前記第１の注ぎ口の両方の端壁に係合しない、請求項１に記載の計量カップセット。
【請求項７】
前記第１の計量部は、前記第１の注ぎ口から離間した追加の注ぎ口を含み、前記追加の注ぎ口は、離間した第１の端壁及び第２の端壁を含み、
前記止め部は、前記追加の注ぎ口の離間した第１の端壁及び第２の端壁に係合可能な追加の止め部を含み、
前記当接部は、前記第１の注ぎ口の前記第１の端壁及び前記第２の端壁を含み、前記当接部は、前記追加の注ぎ口の離間した前記第１の端壁及び前記第２の端壁を含み、ユーザは、前記止め部が、前記第１の注ぎ口の前記第１の端壁及び前記第２の端壁のうちの１つに係合しかつ前記追加の注ぎ口の前記第１の端壁及び前記第２の端壁のうちの１つに係合して、扇状に展開した位置又は整列した位置で前記第１の計量カップに対する前記第２の計量カップの回転が止まるまで、前記第１の計量カップに対して前記第２の計量カップを時計回り又は反時計回りの方向に回転させることができる、請求項１に記載の計量カップセット。
【請求項８】
前記止め部は、前記第１の計量カップに設けられた柱部を含み、
前記当接部は、前記第２の計量カップに設けられた第１の側壁及び第２の側壁を含み、ユーザは、前記止め部が、前記第２の計量カップの前記第１の側壁及び前記第２の側壁のうちの１つに係合して、時計回りに又は反時計回りで扇状に展開した位置で前記第１の計量カップに対する前記第２の計量カップの回転が止まるまで、前記第１の計量カップに対して前記第２の計量カップを時計回り又は反時計回りの方向に回転させることができる、請求項１に記載の計量カップセット。
【請求項９】
前記止め部は、前記第１の計量カップに設けられた２つの柱部を含み、
前記当接部は、前記第２の計量カップに設けられた第１の側壁及び第２の側壁を含み、ユーザは、前記２つの柱部のうちの１つが、前記第２の計量カップの前記第１の側壁及び前記第２の側壁のそれぞれの１つに係合して、それぞれ扇状に展開した位置又は整列した位置で前記第１の計量カップに対する前記第２の計量カップの回転が止まるまで、前記第１の計量カップに対して前記第２の計量カップを時計回り又は反時計回りの方向に回転させることができる、請求項１に記載の計量カップセット。
【請求項１０】
第１の側端壁及び第２の側端壁を含むスロットが、前記第２の計量カップに設けられ、
前記止め部は、前記第１の計量カップに設けられた柱部を含み、
前記当接部は、前記スロットの前記第１の側端壁及び前記第２の側端壁を含み、ユーザは、前記柱部が、前記スロットの前記第１の側端壁及び前記第２の側端壁の１つに係合して、それぞれ、時計周りで又は反時計回りで扇状に展開した位置で前記第１の計量カップに対する前記第２の計量カップの回転が止まるまで、前記第１の計量カップに対して前記第２の計量カップを時計回り又は反時計回りの方向に回転させることができる、請求項１に記載の計量カップセット。
【請求項１１】
第１の側端壁及び第２の側端壁を含むスロットが、前記第２の計量カップに設けられ、
前記止め部は、前記第１の計量カップに設けられた柱部を含み、
前記当接部は、前記スロットの前記第１の側端壁及び前記第２の側端壁を含み、前記スロットは、ユーザが、前記柱部が前記スロットの前記第１の側端壁及び前記第２の側端壁のそれぞれの１つに係合して、それぞれ、時計周りで又は反時計回りで扇状に展開した位置又は整列した位置で前記第１の計量カップに対する前記第２の計量カップの回転が止まるまで、前記第１の計量カップに対して前記第２の計量カップを時計回り又は反時計回りの方向に回転させることができるように配置される、請求項１に記載の計量カップセット。
【発明の詳細な説明】
【技術分野】
【０００１】
本発明は、全体的には計量カップに関し、より具体的には、ハンドル上に印刷又はエンボス加工された印のような計量値表示を備えた、入れ子式の計量カップに関し、このハンドルは扇状に展開することができ、ユーザは、使用したいカップを素早く確認することができる。さらに具体的には、本発明は、ユーザの好みによって英系計量値（一般的に米国標準計量値として知られている）及び／又はメートル法計量値を表示するように、一方向又は両方向に扇状に展開することができる計量カップに関する。
【背景技術】
【０００２】
入れ子式計量カップを含む、印を有するハンドル又は他の部分を備えた計量カップを含む計量カップは、本技術分野では公知である。
【発明の概要】
【発明が解決しようとする課題】
【０００３】
本発明の目的は、従来技術の欠点を解決した入れ子式計量カップを提供することである。
【０００４】
本発明のさらなる目的は、扇状に展開した状態で１又は２以上の種類の計量値を表示できる、入れ子式計量カップセットを提供することである。
【０００５】
本発明の別の目的は、ユーザの好みによって、英系計量値又はメートル法計量値を交互に表示できる入れ子式計量カップセットを提供することである。
【０００６】
本発明のさらなる目的は、扇状に展開可能なハンドルを有し、ハンドルを所定の扇状展開位置に固定するために１又は２以上の止め部を有する、入れ子式計量カップセットを提供することである。
【課題を解決するための手段】
【０００７】
上記及び他の目的は、時計回り及び反時計回りといった一方向又は両方向に扇状に展開可能なハンドルを有する入れ子式計量カップセットによって達成され、扇状展開位置は、改善された特徴部を含む１又は２以上の扇状展開位置に固定することができる。本発明の入れ子式計量カップは、第１の容量を収容して計量する第１の計量部と、第１の計量部に設けられた第１のハンドルとを含む第１の計量カップを含み、上面及び下面を有する入れ子式計量カップセットの新規な組み合わせを含む。第１の注ぎ口は、第１の計量カップの上面に隣接して離間した２つの端壁を有する。また、第２の容量を収容して計量する第２の計量部を有する第２の計量カップが設けられ、同様に第２の計量部には第２ハンドルが設けられ、第２の計量部は第１の計量部より小さく、第２の計量部は第１の計量部に入れ子式に収容される。第２の注ぎ口は、第２の計量部の上面に隣接して設けられ、柱部は第２の計量部の下面に隣接して設けられ、柱部は第１の計量部の上面に設けられ、ユーザは、柱部が止め部と係合して第１の計量カップに対する第２の計量カップの回転が止まるまで、第１の計量カップに対して第２の計量カップを回転させることができる。
【０００８】
上述の本発明の目的及び特徴は、以下の図面を参照してより詳細に説明するが、各図において同じ参照符号は同様の要素を指す。
【図面の簡単な説明】
【０００９】
【図１】各ハンドルが整列した位置での本発明における入れ子式計量カップセットの第１の実施形態の上正面斜視図である。
【図２】英系計量値を表示するようにハンドルを反時計回りに扇状に展開した、図１の実施形態における上正面斜視図である。
【図３】図１の計量カップのうちの１つの下面斜視図である。
【図４】図１の計量カップの上面図である。
【図５】メートル法計量値を表示するようにハンドルを時計回りに扇状に展開した、図１の計量カップの上面図である。
【図６】一部を切り欠いた図２の上正面斜視図であり、止め部は、上方の計量カップの位置を相対的に固定するために上方の計量カップの下方のカップ上面の当接部と係合することが分かる。
【図７】各ハンドルが整列した状態の本発明の別の実施形態の上面図である。
【図８】各ハンドルが扇状に展開した状態の図７の上面図である。
【図９】各ハンドルが整列した状態の本発明の別の実施形態の上面図である。
【図１０】各ハンドルが扇状に展開した状態の図９の実施形態の上面図である。
【図１１】各ハンドルが整列した状態の本発明のさらに別の実施形態の上面図である。
【図１２】各ハンドルが扇状に展開した状態の図１１の上面図である。
【図１３】各ハンドルが整列した状態の本発明の別の実施形態の上面図である。
【図１４】各ハンドルが扇状に展開した状態の図１３の実施形態の上面図である。
【図１５】各ハンドルが整列した状態の本発明のさらに別の実施形態の上面図である。
【図１６】各ハンドルが扇状に展開した状態の図１５の上面図である。
【発明を実施するための形態】
【００１０】
図１から図６を参照して、本発明における入れ子式計量カップセット１０の実施形態を示す。入れ子式カップ１０は、第１の容量を収容して計量するための入れ子部として機能する計量部２４を有する第１の計量カップ２０を含むことができる。第１のハンドル２８は、第１の計量部２４に設けることができ、計量カップ２０は、上面３４及び下面３６に、「１／３カップ  ８０ｍｌ」と例示するように、計量値表示又は印３２を含むことができる。
【００１１】
第１の注ぎ口４０は、第１の計量部２４の上面３４に隣接して第１の計量カップ２０に設けることができ、第１の注ぎ口４０は、該第１の注ぎ口４０の端部を定める２つの離間した端壁４４及び４６を有する。
【００１２】
第２の容量を収容して計量するための第２の計量部８４を有する第２の計量カップ８０を設けることができ、同様、第２ハンドル８２は第２の計量部８４に設けられる。図１から図６に示すように、第２の計量部８４は、第１の計量部２４よりも小さく、このことは、図示のように、第２の計量部８４がより大きな第１の計量部２４の内部に入れ子になる、すなわち嵌まり込むことから容易に理解できるはずである。止め部８６は、図３から図６に示すように設けることができる。止め部８６は、注ぎ口４０の端壁４４、４６の形態のそれぞれの当接部と係合する際に動きを制限して、ハンドル２０及び８０の動きを図２、５、及び６に示す所定の展開位置に固定又は止めるように機能する。第２の注ぎ口９４は、第２の計量カップ８０の上面９６に隣接して設けることができる。第２の計量値表示９８又は計量値印９８は、上面９６に設けることができ、第２の計量値表示９８は、容易に理解できるように、図示の英系計量値及びメートル法計量値の両方、又は他の計量系の計量値を含むことができる。図１から６において、第２の計量値表示９８は、「１／４カップ  ６０ｍＬ」の印を有するが、これらの計量値はほぼ等しい。以下に説明する他の計量カップは、それぞれの計量部に収容されるそれぞれの容量に応じた英系計量値及び／又はメートル法計量値を有する。
【００１３】
図３から６で分かるように、止め部８６は、図示のように、第２の計量カップ８０の外側に形成された伸長部の形態とすること、独立した伸長部としてカップ８０から離間すること、又は容易に理解でき且つ以下に説明するように本発明の別の実施形態に関連する他の場所に設けることができる。止め部８６は、カップ８０の下面１０６に隣接して設けることができ、第１の計量部２４の上面３４の上の端壁４４及び４６の形態の一方の又は両方の当接部と係合可能に構成することができる。止め部８６は、ユーザが、止め部８６が端壁４４又は４６と係合するまで第２の計量カップを第１の計量カップに対して回転させることができるように配置することができ、図示のように、この係合により、第１カップ２０と第２カップ８０との相対回転が阻止される。図２に示すように、ユーザが上方から見て第２カップ８０を反時計回りに回転させる場合、止め部８６は、注ぎ口４０の端壁４４と係合し、それ以上反時計回りに回転しない。このようにして、カップ２０及び８０は、図２及び６に示すように扇状に展開した形態で停止又は固定するので、図２に最良に示すように、ユーザは英系計量値を見ることができる。図４の上正面斜視図を参照すると良く分かるように、第１の計量カップ２０のハンドルと第２の計量カップ８０のハンドルとが整列する場合、止め部８６は、端壁４４及び４６の何れとも係合しない。従って、ユーザは、ハンドル２８及び８２を手動で整列させる必要がある。止め部８６の位置のおかげで、図示のように、本実施形態において、ユーザは、図２の英系計量値又は図５のメートル法計量値を表示する何れかの回転方向で、ハンドルを扇状に展開することができる。
【００１４】
従って、ユーザがメートル計量値の表示を使用して計量しようとする場合、図５に示すように、第２のカップ８０を時計回りに回転させる。ユーザが第２の計量カップ８０を第１の計量カップ２０に対して時計回りに回転させると、６０ｍＬ、８０ｍＬ等のメートル法計量値が表示される、図５の扇状に展開した位置を実現できる。第２のカップ８０を時計回りに回転させることで、止め部８６は、当接部として機能する端壁４６と係合して停止するまで、計量カップ２０の注ぎ口４０に対して時計回りに移動する。容易に理解できるように、メートル法計量値を表示するために計量カップを扇状に展開する場合、ユーザは、第１の計量カップ２０を、第２の計量カップ８０に対して反時計回りに動かして図５の扇状に展開した位置を実現できる。容易に理解できるように、図１から６の実施形態において、ユーザは、図５又は図２に示す扇状に展開した位置を実現するために、第３の計量カップ１１０、第４の計量カップ１２０、第５の計量カップ１３０、及び第６の計量カップ１４０の何れかを動かすことができる。
【００１５】
図７及び８は、本発明における入れ子式カップ１２０の別の実施形態を示す。図示のように、下方又は第１のカップ１２２は、上方又は第２のカップ１２４を入れ子で収容できるような大きさに作ることができる。第２のカップは、柱部又は伸長部１２６の形態の止め部を含むことができ、止め部は、図７のように各ハンドルを整列させる際の当接部として機能する端壁１３６と係合し、追加の柱部１２８を設けたおかげで、図示の別の注ぎ口１４２の端壁又は当接部１３８に係合して停止することがでる。本実施形態において、カップ１２０は、一方向のみに扇状に展開し、止め部１２６及び１２８は、図８の扇状に展開した位置及び図７の整列した位置でカップの回転を固定する。図示のように、１つ種類の計量値を設ける必要があるが、第２の種類の計量値を設けることもでき、扇状に展開した位置では、第２の種類の計量値のサイズ及び位置によって計量値が隠れる場合又は見える場合がある。
【００１６】
図９及び図１０は、本発明における計量カップセット１４０のさらに別の好ましい実施形態を示す。カップ１４０は、下方のカップ１４８上に柱部１４６の形態の止め部を含み、柱部１４６は、それぞれ上方カップ１５４の側壁１５６及び１５８の形態の当接部に係合するように配置され、それぞれのカップが両方向、つまり時計回り及び反時計回り回転して扇状に展開するのを可能にし、図１０は、時計回りに扇状に展開した位置を示す。本実施形態の柱部１４６の位置を考慮して、図９に示すように、ユーザは手動でハンドルを整列する必要がある。計量値表示を設けることができる。
【００１７】
図１１及び図１２は、本発明の実施形態の別の好ましい実施形態を示し、計量カップセット１６０は、図示のように、上方カップ１６２と、下方カップ１７４に設けられた柱部１６４及び１６６の形態の２つの止め部を含む。図示のように、柱部１６４及び１６６は、上方カップ１６２の側壁と係合する。容易に理解できるように、本実施形態において、柱部１６４及び１６６は、下方カップの上面に設けることができる。容易に理解できるように、カップは一方向にのみに扇状に展開し、図示のように上方カップ１６２の外側下向きに延びる壁１７６及び１７８を設けたことで、柱部１６６は、図１２の時計回りの方向に扇状に展開するのを止め、柱部１６４は、図１１の反時計回りの方向の回転を止めて、各ハンドルを整列した一直線の位置に整列させるようになっている。
【００１８】
図１３及び図１４は、本発明による入れ子式のカップセット１８０の別の好ましい実施形態を示す。図示のように、入れ子式カップ１８０は、下方カップ１８４（１／３カップ）のハンドルの上面に設けることができる柱部１８２の形態の止め部と、上方カップ２０２の下面に設けることができる、端壁１９６及び１９８の形態の当接部を有するスロット１９４とを含む。もしくは、他の実施形態と同様、スロット１９４を下方カップ１８４に設けること、及び柱部１８２を上方カップ２０２に設けることができることを理解されたい。スロット１９４、端壁１９６、１９８、及び柱部１８２の位置を考慮すると、この計量カップセット１８０は、両方向、つまり時計回り及び反時計回りに扇状に展開できることが分かる。従って、英系計量値とメートル法計量値の両方を表示することができる。
【００１９】
図１５及び図１６は、本発明によるカップ２２０の別の実施形態を示す。図示のように、カップ２２０は、上方計量カップ２０６及びその下方に位置する下方計量カップ２０８を含むことができる。スロット２２４は、上方カップ２０６の下面に設けることができ、図示のようにスロット２２４はオフセットすることができ、カップは、例えば時計回りの方向といった一方向にだけ扇状に展開できる。扇状に展開する場合、柱部２２８の形態の止め部は、スロット２２４の端壁２２６及び２３０の形態の離間した当接部の一方に係合するが、どちらに係合するかはカップを図１５のように整列するか又は図１６のように扇状に展開するかにによって決まる。本実施形態では、扇状の展開は一方向だけなので、カップには例示の英系計量値といった一種類の計量値だけを設ける必要がある。ユーザの好みによって、単一方向にのみ扇状に展開する他の実施形態と同様に、英系計量値及びメートル法計量値の両方を表示できることを理解されたい。
【００２０】
前述のことから、本発明は、構造特有の他の利点と共に前述の全ての目的を実現するために上手く適合すること分かるはずである。
【００２１】
特定の特徴部及び部分的組み合わせは有用であり、他の特徴部及び部分的組み合わせと無関係に用いることができることを理解されたい。これは、特許請求の範囲で想定されかつその範疇にある。
【００２２】
本発明の範囲を逸脱することなく多くの実施形態を実施することができるので、添付図面に示された本明細書に記載の全ての要素は、例示的かつ非限定的であることを理解されたい。
【符号の説明】
【００２３】
１０  入れ子式計量カップセット
２０  第１の計量カップ
２４  第１の計量部
２８  第１のハンドル
３２  第１の計量値表示
３４  上面
３６  下面
４０  第２の注ぎ口
４４  端壁
４６  端壁
８０  第２の計量カップ
８２  第２のハンドル
８４  第２の計量部
８６  止め部
９４  第２の注ぎ口
９６  上面
９８  第２の計量値表示
１０６  下面
１１０  第３の計量カップ
１２０  第４の計量カップ
１３０  第５の計量カップ
１４０  第６の計量カップ
【図１】
2016218057.tif 000003
【図２】
2016218057.tif 000004
【図３】
2016218057.tif 000005
【図４】
2016218057.tif 000006
【図５】
2016218057.tif 000007
【図６】
2016218057.tif 000008
【図７】
2016218057.tif 000009
【図８】
2016218057.tif 000010
【図９】
2016218057.tif 000011
【図１０】
2016218057.tif 000012
【図１１】
2016218057.tif 000013
【図１２】
2016218057.tif 000014
【図１３】
2016218057.tif 000015
【図１４】
2016218057.tif 000016
【図１５】
2016218057.tif 000017
【図１６】
2016218057.tif 000018